(57)【要約】【課題】狭いスペースに高い自由度をもって設置することができる配管支持具を提供する。【解決手段】配管Ｐを保持するバンド部２と、バンド部２をコンクリート壁Ｗに支持するバンド支持部３と、を備えた配管支持具１であって、バンド部２は、配管を周方向に囲繞するバンド本体１１と、バンド本体１１の両端部からそれぞれ延在し、バンド本体を配管に緊結する緊結部１３およびヒンジ部１５と、バンド本体１１の外周面に突設され、バンド支持部３に固定するための２つの被支持片部１６と、を有している。【選択図】図１
2015034608.tif 000002
【特許請求の範囲】
【請求項１】
配管を保持するバンド部と、前記バンド部を壁体に支持するバンド支持部と、を備えた配管支持具であって、
前記バンド部は、
前記配管を周方向に囲繞するバンド本体と、
前記バンド本体の両端部からそれぞれ延在し、前記バンド本体を前記配管に緊結する２つの緊結部と、
前記バンド本体の外周面に突設され、前記バンド支持部に固定するための１以上の被支持片部と、を有していることを特徴とする配管支持具。
【請求項２】
前記２つの緊結部は、それぞれ前記バンド支持部に固定するための被支持部位を兼ねていることを特徴とする請求項１に記載の配管支持具。
【請求項３】
前記２つの緊結部は、一方がヒンジ部を構成し、他方が前記バンド支持部に固定するための被支持部位を兼ねていることを特徴とする請求項１に記載の配管支持具。
【請求項４】
前記被支持片部は、２つ設けられ、
前記２つの被支持片部は、前記各緊結部から周方向に９０°位置ズレすると共に１８０°点対称位置に配設されていることを特徴とする請求項１ないし３のいずれかに記載の配管支持具。
【請求項５】
前記被支持片部は、前記バンド本体の一部を外側に切起こして形成されていることを特徴とする請求項１ないし４のいずれかに記載の配管支持具。
【請求項６】
前記バンド支持部は、１以上の脚状支持部を備え、
前記各脚状支持部は、
前記バンド部を支持する支持ロッドと、
前記支持ロッドが基端部において螺合する支持ベースと、
前記支持ベースを前記壁体に固定する固定部材と、を有していることを特徴とする請求項１ないし５のいずれかに記載の配管支持具。
【請求項７】
前記固定部材は、前記支持ベースの長手方向の両端部を前記壁体に固定する、一対のコンクリートビスおよび心棒打込み式アンカーのいずれか一方で構成されていることを特徴とする請求項６に記載の配管支持具。
【請求項８】
前記各脚状支持部は、前記支持ベースと前記壁体との間に介設される両面粘着テープを、更に有していることを特徴とする請求項６または７に記載の配管支持具。
【請求項９】
前記配管が、建物の立て管を構成する合成樹脂管であることを特徴とする請求項１ないし８のいずれかに記載の配管支持具。
【発明の詳細な説明】
【技術分野】
【０００１】
本発明は、給水管、給湯管、排水管等の建物の設備配管を支持する配管支持具に関するものである。
【背景技術】
【０００２】
従来、この種の配管支持具として、排水管をコンクリートスラブに支持するための配管支持金具が知られている（特許文献１参照）。
この配管支持金具は、一対の固定孔を透設すると共に一対のナット部を設けたベースプレートと、ベースプレートのナット部に起立配設した一対のねじ杆と、一対のねじ杆の間にナット締着により高さ調整自在に架設配設した配管バンドと、を備えている。
コンクリートスラブに打ち込んだアンカーに、一対の固定孔を介してベースプレートを固定し、このベースプレートの一対のナット部に、一対のねじ杆を螺合起立させる。さらに、配管バンドにより排水管を挟着状にし、排水勾配を加味した高さ調整を行いつつ配管バンドをナット締着する。
このように、ベースプレートをコンクリートスラブに固定してから、一対のねじ杆を取り付けるようにしているため、アンカーの打ち込みの際に、ハンマーによりねじ杆を損傷することがなく、且つ全体をコンパクトに構成することができる。
【先行技術文献】
【特許文献】
【０００３】
【特許文献１】特開平８−１４５２４０号公報
【発明の概要】
【発明が解決しようとする課題】
【０００４】
近年、共同住宅における設備配管の改修では、コストの低減を図るべく、既設の配管をそのまま残して新設の配管を施工し、これに非改修配管の繋ぎ換えを行う、いわゆる「盛替え」が行われる。「盛替え」では、既設の配管を逃げて、新設の配管を施工せざるを得ず、極めて狭い空間に配管を施工することとなる。一方、近年の新設の配管は、そのほとんどが可撓性を有する合成樹脂管（硬質塩化ビニル管、ポリエチレン管、架橋ポリエチレン管、ポリブデン管）を用いるため、配管の支持箇所か増加する傾向にある。
このため、上記従来の配管支持金具では、既存の配管や障害物等が邪魔になって、設置スペースを確保できなくなる問題がある。すなわち、配管の設置スペースは確保できても、これを支持する配管支持金具の設置スペースは確保できず、樹脂管がグラついた状態に施工されてしまう問題がある。
【０００５】
本発明は、狭いスペースに一定の自由度をもって設置することができる配管支持具を提供することを課題としている。
【課題を解決するための手段】
【０００６】
本発明の配管支持具は、配管を保持するバンド部と、バンド部を壁体に支持するバンド支持部と、を備えた配管支持具であって、バンド部は、配管を周方向に囲繞するバンド本体と、バンド本体の両端部からそれぞれ延在し、バンド本体を配管に緊結する２つの緊結部と、バンド本体の外周面に突設され、バンド支持部に固定するための１以上の被支持片部と、を有していることを特徴とする。
【０００７】
この構成によれば、バンド本体の外周面に突設した１以上の被支持片部を用いて、バンド部を、バンド支持部を介して壁体に支持することができる。この場合、１以上の被支持片部をバンド本体のどの部分に設けるかにより、バンド支持部を任意の方向に配設することができる。これにより、障害物を避け、或いは周囲の壁体の向き等に応じて、バンド支持部を設置することができる。したがって、配管支持具自体を、狭いスペースに一定の自由度をもって設置することができる。
【０００８】
この場合、２つの緊結部は、それぞれバンド支持部に固定するための被支持部位を兼ねていることが好ましい。
【０００９】
同様に、２つの緊結部は、一方がヒンジ部を構成し、他方がバンド支持部に固定するための被支持部位を兼ねていることが好ましい。
【００１０】
これらの構成によれば、既存の吊り用の配管バンドや床用の配管バンドに、簡単な加工を施すことにより、バンド部を構成することができる。また、バンド支持部への固定箇所を増やすことができるため、設置の自由部を高めることができる。
【００１１】
また、被支支持部は、２つ設けられ、２つの被支持片部は、各緊結部から周方向に９０°位置ズレすると共に１８０°点対称位置に配設されていることが好ましい。
【００１２】
この構成によれば、配管を、バンド支持部を介して、直交する２つの壁体に支持固定することができる。
【００１３】
さらに、被支持片部は、バンド本体の一部を外側に切起こして形成されていることが好ましい。
【００１４】
この構成によれば、プレス成形等により、被支持片部をバンド本体と一体に且つ簡単に形成することができる。したがって、被支持片部を設けることによるバンド部のコストアップを抑制することができる。
【００１５】
一方、バンド支持部は、１以上の脚状支持部を備え、各脚状支持部は、バンド部を支持する支持ロッドと、支持ロッドが基端部において螺合する支持ベースと、支持ベースを壁体に固定する固定部材と、を有していることが好ましい。
【００１６】
この構成によれば、支持ロッド、支持ベースおよび固定部材を有する脚状支持部を、１以上備えているため、バンド支持部によるバンド部の支持形態に自由度を持たせることができる。すなわち、１の支持ロッドに１の支持ベースを対応させるようにしている。このため、バンド支持部の設置形態に自由度を持たせることができる。
【００１７】
この場合、各固定部材は、各支持ベースの長手方向の両端部を壁体に固定する、一対のコンクリートビスおよび心棒打込み式アンカーのいずれか一方で構成されていることが好ましい。
【００１８】
本発明では、１の支持ロッドに１の支持ベースが対応している。したがって、支持ベースの壁体への取付け強度は、比較的小さくて済む。すなわち、支持ベースを壁体に固定するコンクリートビスや心棒打込み式アンカーは、細径のものを用いることができる。このため、壁体への下穴の形成において、低騒音および低振動で作業を行うことができると共に、粉塵の発生を抑制することができる。
【００１９】
これらの場合、各脚状支持部は、支持ベースと壁体との間に介設される両面粘着テープを、更に有していることが好ましい。
【００２０】
この構成によれば、両面粘着テープにより、壁体に支持ベースを仮固定しておくことができ、仮固定した支持ベースをガイドにして、下穴を簡単に穿孔することができる。したがって、支持ベースの施工性を向上させることができる。
【００２１】
また、配管が、建物の立て管を構成する合成樹脂管であることが好ましい。
【００２２】
この構成によれば、可撓性に富む合成樹脂管を、自由度を持って支持することができるため、狭いスペースに設置される立て管であっても、これを適切に支持することができる。
【図面の簡単な説明】
【００２３】
【図１】第１実施形態に係る配管支持具の外観斜視図である。
【図２】第１実施形態に係る配管支持具の分解斜視図である。
【図３】バンド部の拡大斜視図である。
【図４】被支持片部の拡大斜視図である。
【図５】変形例に係るバンド部の斜視図である。
【図６】支持ベースの拡大斜視図である。
【図７】他の配管支持形態を表した配管支持具の外観斜視図である。
【図８】第２実施形態に係る配管支持具の外観斜視図である。
【図９】バンド部の拡大斜視図である。
【図１０】他の配管支持形態を表した配管支持具の外観斜視図である。
【図１１】第１実施形態の配管支持具を用いた盛替え工事の説明図である。
【発明を実施するための形態】
【００２４】
以下、添付の図面を参照して、本発明の一実施形態に係る配管支持具について説明する。この配管支持具は、既設、新設を問わず、主として合成樹脂管で構成された給水管、給湯管、排水管等の建物の設備配管を支持するものである。以下の実施形態では、ポリエチレン管（水道用ポリエチレン管）で構成された給水立て管（給水管）を支持する金属製の配管支持具（配管支持金具）について説明する。また、既設の共同住宅における給水立て管の盛替え工事を例に、配管支持具の使用形態について説明する。なお、以下の説明では、給水立て管について単に「配管」の語を用い、必要に応じて「給水立て管」の語を用いるものとする。
【００２５】
図１は、第１実施形態に係る配管支持具の外観斜視図であり、図２はその分解斜視図である。両図に示すように、配管支持具１は、配管Ｐ（給水立て管）を保持するバンド部２と、バンド部２をコンクリート壁Ｗ（壁体）に支持するバンド支持部３と、を備えている。また、バンド支持部３は、バンド部２を支持する支持ロッド５、および支持ロッド５を支持する支持ベース６を有する、一対（２つ）の脚状支持部４で構成されている。
【００２６】
図１ないし図３に示すように、バンド部２は、半円状の一対のバンド片１２から成るバンド本体１１と、各バンド片１２の一方の端部からそれぞれ延在する一対の緊結片１４から成る緊結部１３と、両バンド片１２の他方の端部から延在するヒンジ部１５と、各バンド片１２の外周面に突設された２つの被支持片部１６と、を有している。被支持片部１６は、支持ロッド５に固定される部位であり、また緊結部１３は、支持ロッド５に固定される部位と、バンド本体１１（一対のバンド片１２）を配管Ｐに緊結する部位とを兼ねている（詳細は後述する）。
【００２７】
一対のバンド片１２から成るバンド本体１１は、その内径が、支持する配管Ｐの外径とほぼ同一（内径≦外径）となるように形成されている。バンド片１２、緊結片１４およびヒンジ部１５（の半部）は、板金で一体に形成されており、この板金の２つを突合せ、これをヒンジ部１５のヒンジピンにより連結することにより、バンド部２が構成されている（図３参照）。ヒンジ部１５を中心に一対のバンド片１２を広げ、これを配管Ｐに装着した後、一対の緊結片１４を近づけるように締結することにより、バンド部２が配管Ｐに緊結される。
【００２８】
一対の緊結片１４の締結は、締結ボルト１７および締結ナット１８により行われる。このため、各緊結片１４には、締結ボルト１７が挿通する挿通孔１９が形成されている。詳細は後述するが、この緊結片１４の挿通孔１９に支持ロッド５を挿通し、バンド部２を支持ロッド５に支持することも可能である。なお、本実施形態は、挿通孔１９を円形孔としたが、緊結片１４の端から切り込んだ「Ｕ」字状の孔とすることも可能である（図４と同様の形態）。
【００２９】
２つの被支持片部１６は、逆向きに配置するが同一の形状に形成されており、一方の被支持片部１６は、一方のバンド片１２の周方向中間位置に取り付けられ、他方の被支持片部１６は、他方のバンド片１２の周方向中間位置に取り付けられている。すなわち、２つの被支持片部１６は、バンド本体１１において、緊結部１３から周方向に９０°位置ズレすると共に相互に１８０°点対称位置に配設されている。
【００３０】
各被支持片部１６は、バンド片１２から径方向に突出する羽板片２１と、バンド片１２の外周面に添う取付け片２２とから成り、取付け片２２の部分でバンド片１２に溶着されている。羽板片２１には、支持ロッド５が挿通する貫通孔２３が形成されている（図４（ａ）参照）。詳細は後述するが、支持ロッド５には、受けナット３３および固定ナット３４が螺合しており、羽板片２１に支持ロッド５を挿通した状態で、羽板片２１を受けナット３３と固定ナット３４とで挟持するようにしている。これにより、バンド部２が、被支持片部１６を介して支持ロッド５に支持固定される。
【００３１】
このように、本実施形態のバンド部２は、緊結部１３および２つの被支持片部１６の計３か所において、支持ロッド５に固定可能に構成されている。なお、被支持片部１６は、上記の羽板片２１をバンド片１２の外周面に溶着（すみ肉溶接）した形態であってもよい。また、本実施形態は、貫通孔２３を円形孔としたが、羽板片２１の端から切り込んだ「Ｕ」字状の切欠き孔２４とすることも可能である（図４（ｂ）参照）。これにより、被支持片部１６と支持ロッド５との係合作業を簡単に行うことができる。
【００３２】
図５（ａ）は、バンド部２の変形例を表している。このバンド部２Ａでは、その被支持片部１６がバンド片１２の一部を切起こすようにして形成した切起し片２６により、構成されている。すなわち、このバンド部２Ａは、上記のバンド部２に比して幅広に形成されており、上記の羽板片２１に相当する部分（取付け片２２は無し）が、バンド片１２の一部を外側に切起こして形成した切起し片２６で構成されている。この場合も、バンド片１２、緊結片１４、切起し片２６およびヒンジ部１５（の半部）は、板金で一体に形成され（プレス成型等）、この板金の２つを突合せ、これをヒンジ部１５のヒンジピンにより連結することにより、バンド部２Ａが構成されている。
【００３３】
図１、図２および図６に示すように、バンド支持部３を構成する各脚状支持部４は、バンド部２を支持する支持ロッド５と、支持ロッド５を支持する支持ベース６と、支持ベース６をコンクリート壁Ｗに固定する一対のコンクリートビス３１（固定部材）と、支持ベース６とコンクリート壁Ｗとの間に介設される両面粘着テープ３２と、を有している（図２参照）。また、支持ロッド５には、バンド部２を位置決めする受けナット３３、および受けナット３３と共にバンド部２を締結する固定ナット３４が螺合している。
【００３４】
支持ロッド５は、いわゆる全ねじボルトで構成されている。支持ロッド５の先端側には、受けナット３３および固定ナット３４が螺合している。バンド部２の位置は、配管Ｐの位置に合致することになるため、バンド部２（被支持片部１６）のコンクリート壁Ｗからの離間位置が、この受けナット３３で調整され、バンド部２（被支持片部１６）の固定が、受けナット３３を受けとする固定ナット３４の締め付けで行われる。
【００３５】
各支持ベース６は、矩形板状のベース本体３５と、ベース本体３５の中心部に設けたナット部材３６と、を有している（図６（ａ）参照）。ベース本体３５の長手方向の両端部には、一対のバカ孔３７が形成されている。このバカ孔３７を介して、コンクリート壁Ｗに打ち込んだ一対のコンクリートビス３１により、支持ベース６がコンクリート壁Ｗに固定される。そして、コンクリートビス３１のビス打ちは、コンクリート壁Ｗに穿孔した下穴Ｈ（図２参照）にねじ込むことにより、行われる。
【００３６】
なお、図示しないが、コンクリートビス３１に代えて、心棒打込み式アンカーを用いることも可能である。この場合には、支持ベース６は、アンカリングされた心棒打込み式アンカーに対しナット締めすることにより、コンクリート壁Ｗに固定される。
【００３７】
ナット部材３６は、内周面に雌ねじを形成して円筒状に形成され、支持ロッド５が強固に取り付けられるように所定の長さを有している。また、ナット部材３６は、ベース本体３５の中心部に形成した円形開口３８に嵌合した状態で、ベース本体３５に溶着或いは圧入されている。この場合、支持ロッド５は、その先端がコンクリート壁Ｗに当接する位置までナット部材３６にねじ込まれることとなる。なお、ナット部材３６は、六角の形状であってもよい（図６（ｂ）参照）。
【００３８】
支持ベース６は、配管Ｐに装着したバンド部２の被支持片部１６（羽板片２１）が投影されるコンクリート壁Ｗの部分に設けられる。そして、このコンクリート壁Ｗの部分には、支持ベース６を仮固定するための両面粘着テープ３２が貼着される（図２参照）。両面粘着テープ３２は、フィルム状の樹脂テープの両面に粘着剤を塗着したものでもよいし、防振を考慮するのであれば、ウレタンテープの両面に粘着剤を塗着したものを用いる。
【００３９】
上述のように、支持ベース６を固定するコンクリートビス３１は、コンクリート壁Ｗに穿孔した下穴Ｈに打ち込まれる。本実施形態では、両面粘着テープ３２により、支持ベース６をコンクリート壁Ｗに仮固定し、この状態で支持ベース６のバカ孔３７をガイドとして、コンクリートビス３１用の下穴Ｈを穿孔するようにしている。これにより、墨出しを行う必要がなく、且つ下穴Ｈをミス無く形成することができる。
【００４０】
また上述のように、バンド部２は、緊結部１３および２つの被支持片部１６の計３か所において、各脚状支持部４（支持ロッド５）に固定可能に構成されている。このため、この計３か所のうち、どの２箇所を２つの脚状支持部４により支持するかにより、配管Ｐの支持形態を変更することができる。すなわち、本実施形態の配管支持具１では、配管Ｐとこれを支持するコンクリート壁Ｗとの位置関係等により、配管Ｐの支持形態を自在に変更することができる。
【００４１】
図１に示す配管支持形態は、通常の支持形態であり、２つの脚状支持部４を平行に配置し、２つの被支持片部１６を利用してバンド部２（配管Ｐ）を支持している。
図７（ａ）に示す配管支持形態は、２つの脚状支持部４を直交するように配置し、緊結部１３および一方の被支持片部１６を利用してバンド部２（配管Ｐ）を支持している。この支持形態では、配管Ｐに対し２方向の支持力を発揮させることができ、配管Ｐを強固に支持することができる。
図７（ｂ）に示す配管支持形態は、２つの脚状支持部４を直交するように配置し、緊結部１３および他方の被支持片部１６を利用してバンド部２（配管Ｐ）を支持している。この支持形態では、障害物等を逃げた状態で配管Ｐを適切に支持することができる。
なお、緊結部１３および２つの被支持片部１６の全てを利用してバンド部２（配管Ｐ）を、より強固に支持することも可能である（この場合には、脚状支持部４を３つ設ける）。
【００４２】
次に、図８および図９を参照して、本発明の第２実施形態に係る配管支持具１Ａについて説明する。この配管支持具１Ａは、第１実施形態の配管支持具１に対しバンド部２が異なっている。したがって、主にバンド部２について説明する。
【００４３】
第２実施形態のバンド部２は、半円状の一対のバンド片１２から成るバンド本体１１と、各バンド片１２の両端部からそれぞれ延在し、それぞれが一対の緊結片１４から成る２つの緊結部１３と、一方のバンド片１２の外周面に突設された被支持片部１６と、を有している。この場合も、被支持片部１６は、支持ロッド５に固定される部位であり、また各緊結部１３は、支持ロッド５に固定される部位と、バンド本体１１（一対のバンド片１２）を配管Ｐに緊結する部位とを兼ねている。
【００４４】
したがって、被支持片部１６は、受けナット３３および固定ナット３４により、支持ロッド５に締結される。一方、各緊結部１３は、受けナット３３および固定ナット３４により支持ロッド５に締結される場合と、締結ボルト１７および締結ナット１８により締結される場合とがある。この実施形態でも、バンド部２は、２つの緊結部１３および１つの被支持片部１６の計３か所において、各脚状支持部４（支持ロッド５）に固定可能に構成されている。なお、上記の変形例を第２実施形態に適用する場合には、板金の製造工程を容易にすべく、第１実施形態と同様に、切起し片２６（被支持片部１６）を２つ設けることが好ましい（図５（ｂ）参照）。
【００４５】
このように、第２実施形態の配管支持具１Ａにおいても、配管Ｐとこれを支持するコンクリート壁Ｗとの位置関係等により、配管Ｐの支持形態を自在に変更することができる。
図８に示す配管支持形態は、２つの脚状支持部４を平行に配置し、２つの緊結部１３を利用してバンド部２（配管Ｐ）を支持している。
図１０（ａ）に示す配管支持形態は、２つの脚状支持部４を直交するように配置し、２つの緊結部１３および被支持片部１６を利用してバンド部２（配管Ｐ）を支持している。この支持形態では、配管Ｐに対し２方向の支持力を発揮させることができ、配管Ｐを強固に支持することができる。
図１０（ｂ）に示す配管支持形態は、２つの脚状支持部４を直交するように配置し、図１０（ａ）とはバンド部２の向きを変えて支持する形態である。この支持形態では、障害物等を逃げた状態で配管Ｐを適切に支持することができる。なおこの場合も、緊結部１３および２つの被支持片部１６の全てを利用してバンド部２を、より強固に支持することも可能である。
【００４６】
ここで、図１、図２および図１１を参照して、既設の共同住宅における給水立て管Ｐの盛替え工事を例に、配管支持具１（第１実施形態のもの）の使用形態について説明する。図１１（ａ）は、盛替え前の、各住戸のパイプシャフトＰＳを表しており、図１１（ｂ）は、盛替え後の、パイプシャフトＰＳを表している。図１１（ａ）に示すように、盛替え前のパイプシャフトＰＳ内には、既設給水管の立て管（給水立て管Ｐ）および既設ガス管の立て管（ガス立て管Ｇ）が配設されている。
【００４７】
給水立て管Ｐからは、スラブＳ上（うえ）略１．２ｍの位置から各住戸用の給水枝管５１が分岐し、ガス立て管Ｇからは、スラブＳ上略０．３ｍの位置から各住戸用のガス枝管６１が分岐している。給水立て管Ｐから分岐した給水枝管５１は、立て管側ゲート弁５２、水道メーター５３、枝管側ゲート弁５４を経て、スラブＳ上のころがし配管で住戸内に導かれている。同様に、ガス枝管６１は、メーターコック６２、ガスメーター６３、試験口６４、感震器６５を経て、スラブＳ上のころがし配管で住戸内に導かれている。
【００４８】
このように構成された、既設のパイプシャフトＰＳにおいて、給水立て管Ｐの盛替え工事を実施する場合を想定する。この盛替え工事では、先ず各階に亘って直線的に配管する給水立て管Ｐ（新設）の位置を決定する。この場合、ガス枝管６１やガスメーター６３から外れた位置に、且つ検針等に支障が生じない位置に、給水立て管Ｐを配置する必要がある。実施形態では、既設の給水立て管Ｐの前方、すなわちパイプシャフトＰＳ内の右手前に、盛替え用（新設）の給水立て管Ｐを配置することとする。また、給水立て管Ｐに鋼管を用いる場合には、スラブＳ上に立て管専用の支持金物を設置するが、合成樹脂管を用いる本実施形態では、加えて各階のスラブＳの中間位置（例えば、分岐部分の上側）に、上記の配管支持具１を設けることとする。
【００４９】
最初に、既設の排水枝管５１を、分岐部分から枝管側ゲート弁５４の手前まで撤去する。なお、住戸を使用しながら盛替え工事を行う場合には、廊下（外廊下）の外側等に仮設の給水立て管Ｐを施工し、その分岐管を上記の枝管側ゲート弁５４に接続しておく。次に、ホールソー等を用いて、各階のスラブＳにおける給水立て管Ｐの配置位置に配管用貫通孔Ｓａを形成する。ここで、この配管用貫通孔Ｓａを利用して給水立て管Ｐを吊り下げた状態に施工すると共に、配管支持具１を設置する。
【００５０】
図１、図２および図１１（ｂ）に示すように、配管支持具１の設置では、給水立て管Ｐにバンド部２を仮固定し、これに支持ロッド５を宛がって、現場合せにより両面粘着テープ３２を貼着する。実際には、支持ベース６側に予め両面粘着テープ３２を貼着しておいて、この支持ベース６（２つ）をコンクリート壁Ｗ（パイプシャフトＰＳの側壁）に貼着する要領となる。各支持ベース６をコンクリート壁Ｗに貼着したら、そのバカ孔３７を利用して、振動ドリル等によりコンクリート壁Ｗに下穴Ｈを穿孔する。そして、この下穴Ｈにコンクリートビス３１を打ち込んで（螺合して）、各支持ベース６をコンクリート壁Ｗに本固定する。
【００５１】
次に、受けナット３３を螺合した支持ボルト５を、被支持部材１６の貫通孔２３に通しておいて、支持ベース６にねじ込んで固定する。２本の支持ボルト５をそれぞれ支持ベース６に固定したら、バンド部２の位置を微調整した後、締結ボルト１７および締結ナット１８を本締めし、バンド部２を給水立て管Ｐに緊結する。ここで、各支持ボルト５に取り付けた受けナット３３を移動させて、被支持部材１６に裏側から突き当てるようにする。次に、各支持ボルト５に固定ナット３４を螺合し、これを締め付けて、固定ナット３４と受けナット３３の間に被支持部材１６を挟持する。これにより、バンド部２およびバンド支持部３を介して、給水立て管Ｐがコンクリート壁Ｗに支持固定された状態となる。
【００５２】
一方、この配管支持具１の施工と相前後して、スラブＳ上に立て管専用の支持金物を設置すると共に、配管用貫通孔Ｓａの穴埋めを行う。このようにして、盛替え用の給水立て管Ｐを施工したら、新たに給水枝管５１を設け、仮設の枝管との繋ぎ替えを行う。この場合、水道メーター５３廻り（メーターユニット）も新品に交換する。
【００５３】
以上のように、本実施形態の配管支持具１．１Ａによれば、バンド部２に、緊結部１３に加えて支持ロッド５に固定可能な被支持片部１６を設けるようにし、且つ１の支持ロッド５を１の支持ベース６に対応させた脚状支持部４を複数用いるようにしている。このため、脚状支持部４を、障害物を避けて配置し、或いは周囲のコンクリート壁Ｗの位置や向きに応じて配置することができる。したがって、配管Ｐ（給水立て管）を自由度を持って、且つ強固に支持することができる。
【００５４】
なお、本実施形態では、給水立て管Ｐを支持する配管支持具１，１Ａについて説明したが、本発明の配管支持具１，１Ａは、給水管に関しスラブＳ上の横架支持やスラブＳ下の吊下げ支持に適用することも可能である。また、給水管の他、給湯管、排水管等の建物の設備配管の支持にも適用可能である。また、合成樹脂管の他、鋼管（ライニング鋼管やコーティング鋼管）にも適用可能である。
【符号の説明】
【００５５】
１，１Ａ  配管支持具、２，２Ａ  バンド部、３  バンド支持部、４  脚状支持部、５  支持ロッド、６  支持ベース、１１  バンド本体、１３  緊結部、１５  ヒンジ部、１６  被支持片部、２１  羽板片、２６  切起し片、３１  コンクリートビス、３２  両面粘着テープ、Ｐ  配管（給水立て管）、Ｗ  コンクリート壁
【図１】
2015034608.tif 000003
【図２】
2015034608.tif 000004
【図３】
2015034608.tif 000005
【図４】
2015034608.tif 000006
【図５】
2015034608.tif 000007
【図６】
2015034608.tif 000008
【図７】
2015034608.tif 000009
【図８】
2015034608.tif 000010
【図９】
2015034608.tif 000011
【図１０】
2015034608.tif 000012
【図１１】
2015034608.tif 000013